(57)【要約】【課題】  ファンデーション等の化粧品の販売において、客の肌の色を瞬時に、且、容易に判定し、該判定に基づいて肌の色に適したファンデーション等の化粧品を選択、推奨販売できるようにするための、肌の色を判定するためのシートを提供せんとするものである。【解決手段】  肌を透出し得る透明なシートに、肌色判定部を印刷し、前記シートより透出した肌の色と肌色見本とを対比して、肌の色を判定することを特徴とする。【選択図】      図１
0003135223.tif 000002
【実用新案登録請求の範囲】
【請求項１】
肌を透出し得る透明なシートに、肌色判定部を印刷し、前記シートより透出した肌の色と肌色判定部とを対比して、肌の色を判定することを特徴とする肌色判定シート。
【請求項２】
肌色判定部が、複数のパターンと該パターンに隣接する肌透出部から構成されていることを特徴とする請求項１記載の肌色判定シート。
【請求項３】
パターンが、三角形若しくは菱形からなり、各パターンの間に肌透出部が形成されていることを特徴とする請求項２記載の肌色判定シート。
【請求項４】
各パターンは、少なくともその一部が互いに接触するように配置されていることを特徴とする請求項３記載の肌色判定シート。
【請求項５】
各パターンは、互いに接触しないように配置されていることを特徴とする請求項３記載の肌色判定シート。
【請求項６】
１枚のシートに１色の肌色判定部を印刷したことを特徴とする請求項１乃至５のいずれかに記載の肌色判定シート。
【請求項７】
１枚のシートに濃度が異なる複数の肌色判定部を印刷したことを特徴とする請求項１乃至５のいずれかに記載の肌色判定シート。
【請求項８】
１枚のシートに、隣接する各パターンの明度及び色相が連続的に異なる肌色判定部を形成し、肌色を無段階、且、連続的に判定出来るようにしたことを特徴とする請求項１乃至５のいずれかに記載の肌色判定シート。
【請求項９】
一方向に向って色相が変化し、これと直交する方向に向って明度が変化する複数のパターンを形成したことを特徴とする請求項８記載の肌色判定シート。
【考案の詳細な説明】
【技術分野】
【０００１】
本考案は、化粧品販売店等の店頭において、顧客の肌に近接させ、印刷された肌色と比較して顧客の肌の色を判定し、該判定に基づいて適切なファンデーションを提供するに適した、肌色測定シートに関する。
【背景技術】
【０００２】
従来より、化粧品の販売、特にファンデーションの販売にあたっては、専門の販売員である美容部員と呼ばれる者が、目で顧客の肌色を判定し、該判定色に基づいて適切なファンデーションを選択した後、推奨販売をおこなっている。したがって、美容部員の経験によっては客の肌色を正確に判定できず、客に適したファンデーション等を選択することが出来ないという問題があった。
【０００３】
そこで客が自分で自分の肌の色を判定することができる肌色見本板が、特開平１０−１３７０３４号公報に開示されている。この発明では１枚のシートを複数の領域にわけ、各々の領域に異なる肌色を着色した肌色見本板が提供されている（特許文献１）。この肌色見本板は柔軟なシートに複数の肌色を着する共に、表面に微妙なしぼを形成することで、肌そっくりな質感及び感触を持たせているものであるが、肌に近づけ実際の肌の色と比較した場合、着色したシートを見比べるため、肌と、べた塗りのシートを比較することになり、肌色見本板と肌が馴染まず判定がし難いという問題がある。
【０００４】
このべた塗りの色見本との比較を解消すべく、特開２００２−２６２９３８号公報には、肌色見本部の一部に実際の肌の色を露出することの出来る肌色見本付リーフレットが開示されている（特許文献２）。この発明の肌色見本付リーフレットは、複数の肌色を列状に並べて表示した肌色見本部を有し、該、肌色見本部に切り欠き穴が形成されていることを特徴としている。これにより、リーフレットを肌に当接した時、切り欠き穴から肌を露出させることで、肌の色と切り欠き穴周囲の肌色見本の色とを対比することが出来るというものである。しかしながらこの考案にあっても、肌と対比する肌色見本は、輪状のべた塗り見本であるため、肌色見本と肌が馴染まず判定がし難いという問題がある。
【０００５】
【特許文献１】特開平１０−１３７０３４号公報
【特許文献２】特開２００２−２６２９３８号公報
【考案の開示】
【考案が解決しようとする課題】
【０００６】
この考案が解決しようとする課題は、ファンデーション等の化粧品の販売において、客の肌の色を瞬時に、且、容易に判定し、該判定に基づいて肌の色に適したファンデーション等の化粧品を選択、推奨販売できるようにするための、肌の色を判定するためのシートを提供せんとするものである。
【課題を解決するための手段】
【０００７】
課題を解決するためにこの考案が採った手段は、肌を透出し得る透明なシートに、肌色判定部を印刷し、前記シートより透出した肌の色と肌色見本とを対比して、肌の色を判定することを特徴とする。
【０００８】
又、肌色判定部が、複数のパターンと該パターンに隣接する肌透出部から構成されていることを特徴とする。
【０００９】
又、パターンが、三角形若しくは菱形からなり、各パターンの間に肌透出部が形成されていることを特徴とする。
【００１０】
又、各パターンは、少なくともその一部が互いに接触するように配置されていることを特徴とする。
【００１１】
又、各パターンは、互いに接触しないように配置されていることを特徴とする。
【００１２】
又、１枚のシートに１色の肌色判定部を印刷したことを特徴とする。
【００１３】
又、１枚のシートに濃度が異なる複数の肌色判定部を印刷したことを特徴とする。
【００１４】
又、１枚のシートに、隣接する各パターンの明度及び色相が連続的に異なる肌色判定部を形成し、肌色を無段階、且、連続的に判定出来るようにしたことを特徴とする。
【００１５】
又、一方向に向って色相が変化し、これと直交する方向に向って明度が変化する複数のパターンを形成したことを特徴とする。
【考案の効果】
【００１６】
本考案によれば、肌の色を肌色判定シートと比較するだけで瞬時に、且、容易に判定することができる。これにより該判定に基づいて客の肌の色にあったファンデーション等の化粧品を選択、推奨販売することが出来るという効果がある。又、肌色判定シートは、従来より用いられているような、いわゆるべた塗り状態の色見本とは異なり、複数のパターンを配置して形成されており、そのパターンに隣接する肌透出部から肌が透出するため、肌の色と肌色判定部の色が同色であれば肌色判定部が肌に馴染んだ状態となり、又、色が異なる場合には、肌色判定部が明確に判別出来るため、結果、瞬時に、且、容易に肌の色を判定することができるという効果がある。
【考案を実施するための最良の形態】
【００１７】
この考案の好ましい実施の形態を、図面を参照しながら以下に詳細に説明する。図１は肌色判定シートを示すものである。図２は肌色判定シートに印刷された判定用パターンを示す図である。図３は判定用パターンの形状の一変形例を示すものである。図４は使用状態を示す図である。
【００１８】
図１を参照して、肌色判定シート(１)は、透明で且やや硬質のプラスチックシートに、数段階の濃度で印刷された肌色判定部(２)を配置したものである。該肌色判定部(２)は、図２に示すような各種パターン形状を採用することができる。印刷された６つの肌色判定部(２)は、各々の肌色判定部(２)を形成するパターンは全て同一、且、同濃度で印刷されており、６つの肌色判定部(２)はそれぞれ異なる濃度で印刷されている。即ち、１枚の肌色判定シート(１)に６濃度の肌色判定部(２)が印刷されている。尚、肌色判定部の数、濃度はこれに限られるものではなく、例えば後述のような肌色を基調とするグラデーションを呈するものであってもよく、これらは適宜選択出来るものである。
【００１９】
図２を参照して、(２)は前記肌色判定シート(１)に印刷した肌色判定部を示すものである。図２(ａ）は大小の三角形のパターン(３)を少なくともその一部が隣接する三角形に互いに接触するように配置し、且、パターン(３)に隣接するように肌透出部(４)を形成したパターン形状を示すものである。図２(ｂ)は大小の三角形のパターン(３)を互いに接触させないように配置し、パターン(３)に隣接する肌透出部(４)を形成したパターン形状を示すものである。図２(ｃ)は菱形のパターン(３)を少なくともその一部が隣接する菱形に接触するように配置し、パターン(３)に隣接するように肌透出部(４)を形成したパターン形状を示すものである。図２(ｄ)は大小の菱形のパターン(３)を互いに接触させないように配置し、パターン(３)に隣接する肌透出部(４)を形成したパターン形状を示すものである。尚、一つの肌色判定部(２)を形成する全てのパターン(３)は同一の色濃度で印刷される。
【００２０】
図３は、肌色判定部(２)の一変形例を示すものである。肌色判定部(２)を構成するパターンは前記同様に、パターン(３)に隣接する肌透出部(４)を形成した三角形のパターンを採用したものであるが、隣接する各パターンの明度及び色相が連続的に異なっている。該パターンは、一方向に向って色相が変化し、これと直交する方向に向って明度が変化するように印刷されており、肌色判定部(２)全体が一つのグラデーションを呈するようになっている。これにより、肌色判定部(２)で肌の色を無段階、且、連続的に判定出来るようになっている。
【００２１】
前述のようなパターン(３)(３)間に隣接する肌透出部(４)を形成することで、肌に肌色判定シート(１)を接触させた時、該肌透出部(４)に肌を透出させることが出来る。これによって、肌に、いわゆるべた塗りされた色見本を接触させて肌の色と見比べるのに比べて、肌色判定部(２)内に形成された肌透出部(４)に肌が透出するため、肌の色とパターン(３)の色とが同色であれば、肌色判定部(２)が肌に馴染んだ状態となり、又、色が異なる場合は、パターン(３)の存在が明確になるため、肌の色を容易に、且、瞬時に判定することが出来る。特に図２(ａ)に示すパターン(２)の配置は、肌のキメと似た状態としてあるため、前述の肌透出部(４)の存在と相まって、より一層肌色判定部(２)が肌に馴染んだ状態となる。
【００２２】
肌色判定部(２)を構成するパターン(３)の形状、配置はこれらに限られるものではなく、肌透出部(４)を設けるように出来れば、形、大きさは自由に採択することが可能である。又、色の濃度を図示の例では６種としているが、これは市販されているファンデーションの色の種類が略６色からなっていることが多く、当該設定に対応するためである。しかしながら、より正確な肌色の判定をするために、前述のグラデーションを呈するように設定、又は、６種以上の濃度に設定、逆に簡易判定用として６種以下の濃度に設定することも勿論可能である。
【実施例１】
【００２３】
図４は使用状態を示す図である。例えば販売店店頭等において、販売員、美容部員等の者が化粧品の購入に来た客の肌に前記肌色判定シート(１)を当接させて、客の肌色を判定する。前述のように、肌色判定シート(１)に印刷した肌色判定部(２)は、パターン(３)に隣接する肌透出部(４)を形成してあるため、図示のように肌に肌色判定シート(１)を当接すると、肌色判定部(２)の周囲、並びに、肌色判定部(２)内の肌透出部(４)に客の肌を透出させることができる。これにより、複数の濃度で印刷した肌色判定部(２)の内、最も肌の色と近似した肌色判定部(２)が客の肌に馴染んだ状態となり、結果、肌色を判定することが出来るものである。
【００２４】
この判定を基に、客に対し現在の肌の色を通知すると共に、その色に適するファンデーション等の化粧品を選択し推奨販売することで、従来のように、複数種のファンデーションを実際に肌に塗って馴染み具合を確認しなくても、簡単に、且、確実に肌の色に適したファンデーションを販売することが出来るようになる。又、肌の色を誰でもが判定することが可能となるため、店頭に美容部員を配置しなくても、客自らが自分の肌色を判定してファンデーション等の化粧品を購入しても失敗することがなくなるものである。
【実施例２】
【００２５】
図３に示す肌色シート(１)も前記実施例１の肌色判定シート(１)と同様に、販売店店頭等において、販売員、美容部員等の者が化粧品の購入に来た客の肌に前記肌色判定シート(１)を当接させて、客の肌色を判定する。肌に当接した時、肌透出部(４)より客の肌を透出することができ、これにより、最も肌の色と近似する部分において肌色判定部(２)が客の肌に馴染んだ状態となり、その位置における明度及び色相を肌色判定シート(１)に印刷したスケールより読み取ることで、客の肌の色をより正確に判定することができる。例えば図３の(Ａ)の位置で肌色判定部(２)が肌に馴染んだ時には、肌の色が明度６.７５、色相４ＹＲである、と詳細に肌色を判定できるものである。尚、スケールの範囲、分解能はこれに限定されるものではなく、任意のものを採用できる。
【図面の簡単な説明】
【００２６】
【図１】肌色判定シート示す図
【図２】肌色判定部のパターン形状を示す図
【図３】肌色判定部のパターン形状の一変形例を示す図
【図４】使用状態を示す図
【符号の説明】
【００２７】
１  肌色判定シート
２  肌色判定部
３  パターン
４  肌透出部
【図１】
0003135223.tif 000003
【図２】
0003135223.tif 000004
【図４】
0003135223.tif 000005
【図３】
0003135223.tif 000006
【手続補正書】
【提出日】平成19年6月27日(2007.6.27)
【手続補正１】
【補正対象書類名】明細書
【補正対象項目名】全文
【補正方法】変更
【補正の内容】
【考案の詳細な説明】
【技術分野】
【０００１】
本考案は、化粧品販売店等の店頭において、顧客の肌に近接させ、印刷された肌色と比較して顧客の肌の色を判定し、該判定に基づいて適切なファンデーションを提供するに適した、肌色判定シートに関する。
【背景技術】
【０００２】
従来より、化粧品の販売、特にファンデーションの販売にあたっては、美容部員あるいはビューティーコンサルタントと呼ばれる専門の販売員（以下単にビューティーコンサルタントという）が、目で顧客の肌色を判定し、該判定色に基づいて適切なファンデーションを選択した後、推奨販売をおこなっている。したがって、ビューティーコンサルタントの経験によっては客の肌色を正確に判定できず、客に適したファンデーション等を選択することが出来ないという問題があった。
【０００３】
そこで客が自分で自分の肌の色を判定することができる肌色見本板が、特開平１０−１３７０３４号公報に開示されている。この発明では１枚のシートを複数の領域にわけ、各々の領域に異なる肌色を着色した肌色見本板が提供されている（特許文献１）。この肌色見本板は柔軟なシートに複数の肌色を着する共に、表面に微妙なしぼを形成することで、肌そっくりな質感及び感触を持たせているものであるが、肌に近づけ実際の肌の色と比較した場合、着色したシートを見比べるため、肌と、べた塗りのシートを比較することになり、肌色見本板と肌が馴染まず判定がし難いという問題がある。
【０００４】
このべた塗りの色見本との比較を解消すべく、特開２００２−２６２９３８号公報には、肌色見本部の一部に実際の肌の色を露出することの出来る肌色見本付リーフレットが開示されている（特許文献２）。この発明の肌色見本付リーフレットは、複数の肌色を列状に並べて表示した肌色見本部を有し、該、肌色見本部に切り欠き穴が形成されていることを特徴としている。これにより、リーフレットを肌に当接した時、切り欠き穴から肌を露出させることで、肌の色と切り欠き穴周囲の肌色見本の色とを対比することが出来るというものである。しかしながらこの考案にあっても、肌と対比する肌色見本は、輪状のべた塗り見本であるため、肌色見本と肌が馴染まず判定がし難いという問題がある。
【０００５】
【特許文献１】特開平１０−１３７０３４号公報
【特許文献２】特開２００２−２６２９３８号公報
【考案の開示】
【考案が解決しようとする課題】
【０００６】
この考案が解決しようとする課題は、ファンデーション等の化粧品の販売において、客の肌の色を瞬時に、且、容易に判定し、該判定に基づいて肌の色に適したファンデーション等の化粧品を選択、推奨販売できるようにするための、肌の色を判定するためのシートを提供せんとするものである。
【課題を解決するための手段】
【０００７】
課題を解決するためにこの考案が採った手段は、肌を透出し得る透明なシートに、肌色判定部を印刷し、前記シートより透出した肌の色と肌色見本とを対比して、肌の色を判定することを特徴とする。
【０００８】
又、肌色判定部が、複数のパターンと該パターンに隣接する肌透出部から構成されていることを特徴とする。
【０００９】
又、パターンが、三角形若しくは菱形からなり、各パターンの間に肌透出部が形成されていることを特徴とする。
【００１０】
又、各パターンは、少なくともその一部が互いに接触するように配置されていることを特徴とする。
【００１１】
又、各パターンは、互いに接触しないように配置されていることを特徴とする。
【００１２】
又、１枚のシートに１色の肌色判定部を印刷したことを特徴とする。
【００１３】
又、１枚のシートに濃度が異なる複数の肌色判定部を印刷したことを特徴とする。
【００１４】
又、１枚のシートに、隣接する各パターンの明度及び色相が連続的に異なる肌色判定部を形成し、肌色を無段階、且、連続的に判定出来るようにしたことを特徴とする。
【００１５】
又、一方向に向って色相が変化し、これと直交する方向に向って明度が変化する複数のパターンを形成したことを特徴とする。
【考案の効果】
【００１６】
本考案によれば、肌の色を肌色判定シートと比較するだけで瞬時に、且、容易に判定することができる。これにより該判定に基づいて客の肌の色にあったファンデーション等の化粧品を選択、推奨販売することが出来るという効果がある。又、肌色判定シートは、従来より用いられているような、いわゆるべた塗り状態の色見本とは異なり、複数のパターンを配置して形成されており、そのパターンに隣接する肌透出部から肌が透出するため、肌の色と肌色判定部の色が同色であれば肌色判定部が肌に馴染んだ状態となり、又、色が異なる場合には、肌色判定部が明確に判別出来るため、結果、瞬時に、且、容易に肌の色を判定することができるという効果がある。
【考案を実施するための最良の形態】
【００１７】
この考案の好ましい実施の形態を、図面を参照しながら以下に詳細に説明する。図１は肌色判定シートを示すものである。図２は肌色判定シートに印刷された判定用パターンを示す図である。図３は判定用パターンの形状の一変形例を示すものである。図４は使用状態を示す図である。
【００１８】
図１を参照して、肌色判定シート(１)は、透明で且やや硬質のプラスチックシートに、数段階の濃度で印刷された肌色判定部(２)を配置したものである。該肌色判定部(２)は、図２に示すような各種パターン形状を採用することができる。印刷された６つの肌色判定部(２)は、各々の肌色判定部(２)を形成するパターンは全て同一、且、同濃度で印刷されており、６つの肌色判定部(２)はそれぞれ異なる濃度で印刷されている。即ち、１枚の肌色判定シート(１)に６濃度の肌色判定部(２)が印刷されている。尚、肌色判定部の数、濃度はこれに限られるものではなく、例えば後述のような肌色を基調とするグラデーションを呈するものであってもよく、これらは適宜選択出来るものである。
【００１９】
図２を参照して、(２)は前記肌色判定シート(１)に印刷した肌色判定部を示すものである。図２(ａ）は大小の三角形のパターン(３)を少なくともその一部が隣接する三角形に互いに接触するように配置し、且、パターン(３)に隣接するように肌透出部(４)を形成したパターン形状を示すものである。図２(ｃ)は大小の三角形のパターン(３)を互いに接触させないように配置し、パターン(３)に隣接する肌透出部(４)を形成したパターン形状を示すものである。図２(ｂ)は菱形のパターン(３)を少なくともその一部が隣接する菱形に接触するように配置し、パターン(３)に隣接するように肌透出部(４)を形成したパターン形状を示すものである。図２(ｄ)は大小の菱形のパターン(３)を互いに接触させないように配置し、パターン(３)に隣接する肌透出部(４)を形成したパターン形状を示すものである。尚、一つの肌色判定部(２)を形成する全てのパターン(３)は同一の色濃度で印刷される。
【００２０】
図３は、肌色判定部(２)の一変形例を示すものである。肌色判定部(２)を構成するパターンは前記同様に、パターン(３)に隣接する肌透出部(４)を形成した三角形のパターンを採用したものであるが、隣接する各パターンの明度及び色相が連続的に異なっている。該パターンは、一方向に向って色相が変化し、これと直交する方向に向って明度が変化するように印刷されており、肌色判定部(２)全体が一つのグラデーションを呈するようになっている。これにより、肌色判定部(２)で肌の色を無段階、且、連続的に判定出来るようになっている。
【００２１】
前述のようなパターン(３)(３)間に隣接する肌透出部(４)を形成することで、肌に肌色判定シート(１)を接触させた時、該肌透出部(４)に肌を透出させることが出来る。これによって、肌に、いわゆるべた塗りされた色見本を接触させて肌の色と見比べるのに対して、肌色判定部(２)内に形成された肌透出部(４)に肌が透出するため、肌の色とパターン(３)の色とが同色であれば、肌色判定部(２)が肌に馴染んだ状態となり、又、色が異なる場合は、パターン(３)の存在が明確になるため、肌の色を容易に、且、瞬時に判定することが出来る。特に図２(ａ)に示すパターン(３)の配置は、肌のキメと似た状態としてあるため、前述の肌透出部(４)の存在と相まって、より一層肌色判定部(２)が肌に馴染んだ状態となる。
【００２２】
肌色判定部(２)を構成するパターン(３)の形状、配置はこれらに限られるものではなく、肌透出部(４)を設けるように出来れば、形、大きさは自由に採択することが可能である。又、色の濃度を図示の例では６種としているが、これは市販されているファンデーションの色の種類が略６色からなっていることが多く、当該設定に対応するためである。しかしながら、より正確な肌色の判定をするために、前述のグラデーションを呈するように設定、又は、６種以上の濃度に設定、逆に簡易判定用として６種以下の濃度に設定することも勿論可能である。
【実施例１】
【００２３】
図４は使用状態を示す図である。例えば販売店店頭において、ビューティーコンサルタントが化粧品の購入に来た客の肌に前記肌色判定シート(１)を当接させて、客の肌色を判定する。前述のように、肌色判定シート(１)に印刷した肌色判定部(２)は、パターン(３)に隣接する肌透出部(４)を形成してあるため、図示のように肌に肌色判定シート(１)を当接すると、肌色判定部(２)の周囲、並びに、肌色判定部(２)内の肌透出部(４)に客の肌を透出させることができる。これにより、複数の濃度で印刷した肌色判定部(２)の内、最も肌の色と近似した肌色判定部(２)が客の肌に馴染んだ状態となり、結果、肌色を判定することが出来るものである。
【００２４】
この判定を基に、客に対し現在の肌の色を通知すると共に、その色に適するファンデーション等の化粧品を選択し推奨販売することで、従来のように、複数種のファンデーションを実際に肌に塗って馴染み具合を確認しなくても、簡単に、且、確実に肌の色に適したファンデーションを販売することが出来るようになる。又、肌の色を誰でもが判定することが可能となるため、店頭にビューティーコンサルタントを配置しなくても、客自らが自分の肌色を判定してファンデーション等の化粧品を購入しても失敗することがなくなるものである。
【実施例２】
【００２５】
図３に示す肌色判定シート(１)も前記実施例１の肌色判定シート(１)と同様に、販売店店頭のビューティーコンサルタントが化粧品の購入に来た客の肌に前記肌色判定シート(１)を当接させて、客の肌色を判定する。肌に当接した時、肌透出部(４)より客の肌を透出することができ、これにより、最も肌の色と近似する部分において肌色判定部(２)が客の肌に馴染んだ状態となり、その位置における明度及び色相を肌色判定シート(１)に印刷したスケールより読み取ることで、客の肌の色をより正確に判定することができる。例えば図３の(Ａ)の位置で肌色判定部(２)が肌に馴染んだ時には、肌の色が明度６.７５、色相４ＹＲである、と詳細に肌色を判定できるものである。尚、スケールの範囲、分解能はこれに限定されるものではなく、任意のものを採用できる。
【図面の簡単な説明】
【００２６】
【図１】肌色判定シート示す図
【図２】肌色判定部のパターン形状を示す図
【図３】肌色判定部のパターン形状の一変形例を示す図
【図４】使用状態を示す図
【符号の説明】
【００２７】
１  肌色判定シート
２  肌色判定部
３  パターン
４  肌透出部